(57)【特許請求の範囲】
【請求項１】
防護枠内に形成される略直方体状の空間に内燃機関と同内燃機関で駆動される作業機を左右に並べて配置するとともに前記内燃機関と前記作業機の上方に燃料タンクを配置した防護枠型内燃機関作業機において、
前記燃料タンクは上面視で略矩形をなし外周側面に周方向に亘ってフランジが形成されるとともに下面の左右側縁部の内燃機関側に燃料コックが突設され、
前記防護枠内に配置される燃料タンクの上方は前記防護枠に掛け渡された保護枠で覆われるように構成され、
前記防護枠の前記垂直フレーム間に左右一対のタンク左右支持メンバーが前後水平方向に架設され、
前記左右一対のタンク左右支持メンバーのうちの前記内燃機関側のタンク左右支持メンバーを着脱自在とし、
前記燃料タンクは前記燃料コックと反対側を先頭にして前記防護枠の左右開口のタンク左右支持メンバーを外した前記内燃機関配置側から略水平に挿入されて挿入奥側のタンク左右支持メンバーに燃料タンクのフランジを支持させ、
前記燃料タンクを前記防護枠内空間に挿入した後、前記内燃機関側タンク左右支持メンバーを前記垂直フレーム間に固着して燃料タンクの他方のフランジを支持して前記タンク左右支持メンバーに前記燃料タンクの左右のフランジが載置状態に支持され、
前記燃料タンクは前記防護枠上部空間全体を覆う状態で所定位置に固定されるように構成したことを特徴とする防護枠型内燃機関作業機。
【請求項２】
前記防護枠の垂直フレーム間に前後一対のタンク前後支持メンバーが左右水平方向に架設され、前記燃料タンクの前後フランジを支持することを特徴とする請求項１記載の防護枠型内燃機関作業機。
【請求項３】
前記燃料タンクの上方を覆う保護枠は、前記防護枠の左右上端間に掛け渡された複数の棒状部材であり、前記燃料タンクの上方に架設されることを特徴とする請求項１または請求項２記載の防護枠型内燃機関作業機。
【発明の詳細な説明】
【０００１】
【発明の属する技術分野】
本発明は、防護枠に囲繞された内燃機関作業機に関する。
【０００２】
【従来の技術】
かかる防護枠型内燃機関作業機は、防護枠をなすフレーム構造が簡単で取扱い易く屋外作業等に広く用いられている。
そして連続運転可能時間を長くして屋外での作業に適するようにするため、内燃機関および作業機の上部空間に大きな燃料タンクを設けるのが一般的である。
【０００３】
この種の防護枠型内燃機関作業機の従来の例（実公平７−２４９２２号公報）を図９および図１０に図示する。
図９は、該防護枠型内燃機関作業機01の正面図であり、図１０はその平面図である。
【０００４】
防護枠02は、パイプフレームを矩形環状に連続させ、対向する長尺のフレーム部分をコ字状に屈曲させて直方体の枠形状を形成している。
すなわち防護枠02は、左右水平方向に指向した前後一対の左右水平フレーム03F ，03R 、同左右水平フレーム03F ，03R の左右端部が屈曲して上方に延びた４本の垂直フレーム04F ，04F ，04R ，04R 、対向する前後垂直フレーム04F ，04R の上端を連結する左右一対の前後水平フレーム05L ，05R とからなる。
【０００５】
かかる防護枠02内の右側に内燃機関010 、左側に作業機011 が配置され、内燃機関010 と作業機011 の上方空間に燃料タンク012 が配設されている。
前側の左右垂直フレーム04F ，04F 間に前側タンク支持メンバー06が架設され、後側の左右垂直フレーム04R ，04R には、対向する所定高さ位置に支持突起07，07が突設され、両支持突起07，07に両端を支持されて後側タンク支持メンバー08が架設される。
【０００６】
燃料タンク012 は、上面視で矩形状をなし外周側面にフランジ012aが周方向に亘って突設されており、図１０に示すように前側フランジ012aに防振ゴム013 が取り付けられ、後側フランジ012aに防振ゴムを介して後側タンク支持メンバー08が取り付けられ、防護枠02の後上方から前側フランジ012aを前側タンク支持メンバー06に防振ゴム013 を介して支持させ、後側フランジ012aに防振ゴムを介して取り付けた後側タンク支持メンバー08の左右端を支持突起07，07に支持させボルトで固着される。
【０００７】
【発明が解決しようとする課題】
上記防護枠型内燃機関作業機01では、燃料タンク012 の取付けは簡単になるものの、燃料タンク012 の上方は開放されていて燃料タンク012 を保護する何らかの保護枠が存在しないので、梱包物流，作業時の運搬あるいは作業現場での他の機材との接触衝撃から燃料タンクを保護するためには、燃料タンク上部を保護するための保護フレームを架設する必要がある。
【０００８】
そこで左右の前後水平フレーム05L ，05R 間に保護フレームを架設すると、同保護フレームが邪魔して防護枠02の後上方からの燃料タンク012 の取付け作業が極めてしにくくなり、さらにこの燃料タンクが大型化するにつれて取付けが大変難しくなる。
【０００９】
本発明はかかる点に鑑みなされたもので、その目的とする処は、防護枠内の上部空間全体に懸架される大型の燃料タンクの上部を保護することができるのはもとより、燃料タンクの取付け作業が簡単でかつ十分な支持強度をもって取付けられるようにした防護枠型内燃機関作業機を供する点にある。
【００１０】
【課題を解決するための手段および作用効果】
上記目的を達成するために、本発明は、防護枠内に形成される略直方体状の空間に内燃機関と同内燃機関で駆動される作業機を左右に並べて配置するとともに前記内燃機関と前記作業機の上方に燃料タンクを配置した防護枠型内燃機関作業機において、前記燃料タンクは上面視で略矩形をなし外周側面に周方向に亘ってフランジが形成されるとともに下面の左右側縁部の内燃機関側に燃料コックが突設され、前記防護枠内に配置される燃料タンクの上方は前記防護枠に掛け渡された保護枠で覆われるように構成され、前記防護枠の前記垂直フレーム間に左右一対のタンク左右支持メンバーが前後水平方向に架設され、前記左右一対のタンク左右支持メンバーのうちの前記内燃機関側のタンク左右支持メンバーを着脱自在とし、前記燃料タンクは前記燃料コックと反対側を先頭にして前記防護枠の左右開口のタンク左右支持メンバーを外した前記内燃機関配置側から略水平に挿入されて挿入奥側のタンク左右支持メンバーに燃料タンクのフランジを支持させ、前記燃料タンクを前記防護枠内空間に挿入した後、前記内燃機関側タンク左右支持メンバーを前記垂直フレーム間に固着して燃料タンクの他方のフランジを支持して前記タンク左右支持メンバーに前記燃料タンクの左右のフランジが載置状態に支持され、前記燃料タンクは前記防護枠上部空間全体を覆う状態で所定位置に固定されるように構成した防護枠型内燃機関作業機とした。
【００１１】
防護枠内に配置された燃料タンクの上方は保護枠で覆われるので、燃料タンクの上部は保護枠により保護される。
そして燃料タンクは防護枠の左右開口の内燃機関側から略水平に挿入されて前記防護枠上部空間全体を覆う状態で所定位置に固定されるので、燃料タンク上方の前記保護枠は燃料タンクの取付け作業の支障になることはなく、取付け作業を容易に行うことができる。
【００１２】
燃料タンクは燃料コックと反対側を先頭にして防護枠に挿入されるので、下方に突出する燃料コックが内燃機関や作業機に干渉することはなく、また燃料タンクの取付け後の燃料コックの位置が内燃機関側の近傍となるため、燃料系統の配管接続が極めて簡単になる。
【００１３】
燃料タンクの取付け時には、内燃機関側のタンク左右支持メンバーを外して同防護枠開口から燃料タンクを挿入すればよく、保護枠に邪魔されることなく取付作業を極めて簡単に行える。
【００１４】
請求項２記載の発明は、請求項１記載の防護枠型内燃機関作業機において、前記防護枠の垂直フレーム間に前後一対のタンク前後支持メンバーが左右水平方向に架設され、前記燃料タンクの前後フランジを支持することを特徴とする。
【００１５】
燃料タンクは、左右のフランジが支持されるとともに前後のフランジもタンク前後支持メンバーに支持されるので、さらに大きな支持重量を確保し、運搬・移動時の衝撃等にも十分耐える燃料タンク支持構造とすることができる。
【００１６】
また燃料タンクを挿入する際に前後支持メンバーに燃料タンクの前後フランジの少なくとも一方を支持させながら挿入することができるので、重量物である燃料タンクの取付け作業を容易に行うことができる。
【００１７】
請求項３記載の発明は、請求項１または請求項２記載の防護枠型内燃機関作業機において、前記燃料タンクの上方を覆う保護枠は、前記防護枠の左右上端間に掛け渡された複数の棒状部材であり、前記燃料タンクの上方に架設されるものである。
【００１８】
防護枠の左右上端間に掛け渡された複数の棒状部材で燃料タンクの上方を覆う簡単な構造で燃料タンクを保護することができ、かつ防護枠自体の強度を向上させることができる。
【００１９】
【発明の実施の形態】
以下本発明に係る一実施の形態について図１ないし図８に図示し説明する。
本実施の形態は、作業機が発電機である防護枠型内燃機関発電機１に適用した例である。
【００２０】
図１は本防護枠型内燃機関発電機１の全体斜視図であり、図２は防護枠20等のフレーム構造を示す斜視図である。
防護枠20内には、内燃機関２が左側に、内燃機関２の出力軸に回転軸が直結された発電機３が右側に配設され、内燃機関２と発電機３の上方空間に上面視矩形の燃料タンク４が懸架されている。
【００２１】
内燃機関２は水平配置されるクランク軸に対してシリンダー２ａを後方斜め上向きに傾斜させており、左端にはリコイルスタータ10が設けられている。
リコイルスタータ10の後方位置にエアクリーナ11が配設され、エアクリーナ11とシリンダー２ａとの間に気化器や吸気管等の吸気系装置が配設されている。
なお発電機３の後方には、排気管やマフラー等の排気系装置が配設される。
【００２２】
燃料タンク４は、偏平矩形のタンクであり、外周側面に周方向に亘ってフランジ５が突設されており、上面の略中央位置に燃料供給口があり燃料キャップ６が螺着され、下面の左側縁に沿った位置から燃料コック７が下方へ突設されており、内燃機関２の左外側に位置する燃料コック７から燃料ホース８が延出して前記気化器に連結される。
【００２３】
以上の機器を囲繞して支持する防護枠20は、図２ないし図５に図示するようにパイプフレームを矩形環状に連続させ、対向する長尺のフレーム部分をコ字状に屈曲させて直方体の枠形状を形成している。
【００２４】
すなわち防護枠20は、左右水平方向に指向した前後一対の左右水平フレーム21F ，21R 、同左右水平フレーム21F ，21R の左右端部が屈曲して上方に延びた４本の垂直フレーム22F ，22F ，22R ，22R 、対向する前後垂直フレーム22F ，22R の上端を連結する左右一対の前後水平フレーム23L ，23R とからなる。
【００２５】
そして左右一対の前後水平フレーム23L ，23R 間に左右水平方向に指向した保護フレーム24F ，24R が前後に２本端部を溶接して架設されている。
同前後一対の保護フレーム24F ，24R は、下方の前後一対の左右水平フレーム21F ，21R より互いの間隔が狭く、図１に示すように燃料タンク４の上方に位置し、防護枠20を補強するに加えて、さらに燃料タンク４の上面を保護する機能を有する。
【００２６】
下部の前後一対の左右水平フレーム21F ，21R 間に本体支持プレート25L ，25R が左右に一対架設されており、同本体支持プレート25L ，25R にマウント部材26を介して内燃機関２および発電機３が支持される。
前側の垂直フレーム22F ，22F にはそれぞれ所定高さ位置にブラケット27，27が内側に向け突設されており、両ブラケット27，27に両端をボルト締めされて操作パネル30が架設される。
【００２７】
操作パネル30は、左右方向に長尺の長方形を垂直にして上下側部30ａ，30ｂが図２および図５に示すように断面コ字状に屈曲されており、その上側部30ａのコ字状に屈曲した水平に後方へ延びた端縁が左右方向へ長尺な水平面をなしてタンク支持レール31を形成している。
【００２８】
この操作パネル30の上側部30ａに対向する後方位置にタンク後側支持メンバー32が、後側の垂直フレーム22R ，22R 間に架設されており、タンク後側支持メンバー32には左右所定箇所にマウントブラケット33，33が内側に向けて水平状態に突設されている。
【００２９】
またタンク後側支持メンバー32と同じ高さで右側の前後垂直フレーム22F ，22R 間にタンク右側支持メンバー34が架設され、同タンク右側支持メンバー34には前後所定箇所にマウントブラケット35，35が左方（内側）に向けて水平状態に突設されている。
【００３０】
そして左側の前後垂直フレーム22F ，22R には、タンク後側支持メンバー32，タンク右側支持メンバー34と略同じ高さにブラケット36，36が相互に向かい合う状態に突設されており、同前後のブラケット36，36にタンク左側支持メンバー37が着脱自在に支持される。
【００３１】
タンク左側支持メンバー37は角筒状をして、図７に示されるようにその前端開口を前側のブラケット36に嵌合し、後端の斜めに切欠かれた開口を前方から後側ブラケット36に嵌合して前後を両ブラケット36，36に架設し、それぞれ左側からボルト40，40により固着する。
【００３２】
タンク左側支持メンバー37の内側面（右側面）にマウントブラケット38，39が突設されていて、前側マウントブラケット38は右方（内側）に上面視で垂直に突出しているが、後側マウントブラケット39は上面視で斜め後方に突出している。なおタンク支持レール31には上面にレールの縁に沿って長尺の防振ゴム41が布設され、タンク後側支持メンバー32のマウントブラケット33，33の上面には防振ゴム42，42が固着されている。
【００３３】
防護枠20を構成する主なフレーム構造は以上のようであり、まずは内燃機関２および発電機３が本体支持プレート25L ，25R にマウント部材26を介して固定支持され、その他の吸気系および排気系の装置が防護枠20内に取付けられて、防護枠20内の上部空間を除いた空間を占める。
また操作パネル30には種々の計器や操作スイッチ類が表面に配設されるとともに、裏面には制御装置45が設けられる。
【００３４】
そしてタンク左側支持メンバー37を外し防護枠20の左側面上部を開口した状態で、燃料タンク４を同開口から水平に防護枠20内に挿入する。
燃料タンク４は防護枠20の前後水平フレーム23L に干渉しないように燃料キャップ６を外しておき、かつ燃料コック７を左側にした水平姿勢で、前側のフランジ５をタンク支持レール31に、後側のフランジ５をタンク後側支持メンバー32のマウントブラケット33，33に載せ、右方向へ押し入れるようにすることで、燃料タンク４はタンク支持レール31に案内されて容易に防護枠20内に挿入される。
【００３５】
燃料タンク４が防護枠20内に奥まで挿入されると、右側のフランジ５がタンク右側支持メンバー34のマウントブラケット35，35の上に載置され、また燃料タンク４の前後のフランジ５は、タンク支持レール31およびマウントブラケット33に防振ゴム41，42を介して支持された状態となる。
【００３６】
この状態で防護枠20の左開口を閉じるようにタンク左側支持メンバー37を垂直フレーム22F ，22R に突設された前後のブラケット36，36間に架設することにより、タンク左側支持メンバー37のマウントブラケット38，39に防振ゴム52を介して燃料タンク４の左側フランジが載置支持されるようにする。
【００３７】
そしてこの状態でボルト51，53を締付けることによって燃料タンク４は防護枠20に取り付けられ、フランジ５がタンク支持レール31、タンク後側支持メンバー32のマウントブラケット33，33、タンク右側支持メンバー34のマウントブラケット35，35、タンク左側支持メンバー37のマウントブラケット38，39に防振ゴム41，42，50，52を介して支持される。
そして燃料キャップ６を燃料供給口に螺着し、燃料コック７に燃料ホース８を連結する。
【００３８】
前述のように燃料タンク４は４辺のフランジ５が全て支持されることになるので、大型で大重量の燃料タンクも確実に支持することができ、運搬・移動時の衝撃等にも十分耐え得る燃料タンク支持構造とすることができる。
防護枠20内に配置された燃料タンク４の上方は２本の保護フレーム24F ，24R で覆われるので、燃料タンク20の上面部分は保護される。
【００３９】
そして燃料タンク４は前後のフランジ５がタンク支持レール31およびタンク後側支持メンバー32のマウントブラケット33，33に支持されながら防護枠20の内燃機関２側から水平に挿入されて所定位置に固定されるので、燃料タンク20の上方の前記保護枠24F,24R は燃料タンク４の取付け作業の支障になることはなく、また前後のフランジ５が支持されながら防護枠20に挿入されるので、最初にフランジ５をタンク支持レール31およびタンク後側支持メンバー32のマウントブラケット33に支持させればあとは押し込むように挿入することができ、燃料タンク４が防護枠20間一杯に架設される大型のものであるにもかかわらず取付作業は簡単に行うことができる。
【００４０】
さらに燃料タンク４は燃料コック７のある内燃機関２側と反対側を先頭にして防護枠20に挿入されるので、下方に突出する燃料コック７が内燃機関２や作業機３に干渉することはなく、また燃料タンク４の取付け後の燃料系統の配管接続が極めて簡単である。
燃料タンク４は、防振ゴムを介して支持されているので、防護枠20から伝達される振動は吸収されて燃料タンク４に可及的に振動を与えない。
【００４１】
なお図６および図７に示すように本実施の形態においては、防護枠20の右側には概ねコ字状に突出した支持フレーム60，61に支持板62が架設されてバッテリ65が搭載され、固定金具63で固定されている。
【図面の簡単な説明】
【図１】本発明の一実施の形態に係る防護枠型内燃機関発電機の全体斜視図である。
【図２】同防護枠型内燃機関発電機の防護枠等のフレーム構造を示す斜視図である。
【図３】同フレーム構造の正面図である。
【図４】同一部省略した平面図である。
【図５】タンク左側支持メンバーを外した状態の同左側面図である。
【図６】同防護枠型内燃機関発電機の全体の正面図である。
【図７】同平面図である。
【図８】タンク左側支持メンバーを仮想線で示した同防護枠型内燃機関発電機の左側面図である。
【図９】従来の防護枠型内燃機関発電機の正面図である。
【図１０】同平面図である。
【符号の説明】
１…防護枠型内燃機関発電機、２…内燃機関、３…発電機、４…燃料タンク、５…フランジ、６…燃料キャップ、７…燃料コック、８…燃料ホース、10…リコイルスタータ、11…エアクリーナ、
20…防護枠、21F ，21R …左右水平フレーム、22F ，22F ，22R ，22R …垂直フレーム、23L ，23R …前後水平フレーム、
24F ，24R …保護フレーム、25L ，25R …本体支持プレート、26…マウント部材、27…ブラケット、
30…操作パネル、31…タンク支持レール、32…タンク後側支持メンバー、33…マウントブラケット、34…タンク右側支持メンバー、35…マウントブラケット、36…ブラケット、37…タンク左側支持メンバー、38，39…マウントブラケット、40…ボルト、41，42…防振ゴム、
45…制御装置、
50…防振ゴム、51…ボルト、52…防振ゴム、53…ボルト、
60，61…支持フレーム、62…支持板、63…固定金具、65…バッテリ。
【図１】
0003871124.tif 000002
【図２】
0003871124.tif 000003
【図３】
0003871124.tif 000004
【図４】
0003871124.tif 000005
【図５】
0003871124.tif 000006
【図６】
0003871124.tif 000007
【図７】
0003871124.tif 000008
【図８】
0003871124.tif 000009
【図９】
0003871124.tif 000010
【図１０】
0003871124.tif 000011